(57)【要約】【課題】画像入出力ジョブが所定の状態になったことを、携帯電話やパソコン等の他の装置を用いることなく、かつユーザが特別な操作をすることなく、画像入出力装置から離れた場所で知ることができる画像入出力装置を提供する。【解決手段】画像入出力装置１は、この装置に付属している携帯可能な報知装置３３と、所定の状態（画像入出力ジョブ終了、エラー発生等）になると報知する画像入出力ジョブを、ユーザが報知装置３３を画像入出力装置１から外したタイミングに基づいて特定する特定部（制御部３、ＲＯＭ１７、ＲＡＭ１９及びスロット２７）と、を備え、報知装置３３は、上記特定部で特定された画像入出力ジョブが所定の状態になることに基づいて送信された無線信号ＲＳを受信することにより作動してユーザに所定の状態を報知する。【選択図】図１
2008170550.tif 000002
【特許請求の範囲】
【請求項１】
画像の入力及び出力の少なくとも一方のジョブである画像入出力ジョブを実行する画像入出力装置であって、
前記画像入出力装置に付属している携帯可能な報知装置と、
前記画像入出力装置に前記報知装置を着脱自在に装着するための装着部と、
所定の状態になると報知する画像入出力ジョブを、ユーザが前記報知装置を前記画像入出力装置から外したタイミングに基づいて特定する特定部と、を備え、
前記報知装置は、前記特定部で特定された画像入出力ジョブが前記所定の状態になることに基づいて送信された無線信号を受信することにより作動して前記ユーザに前記所定の状態を報知する
ことを特徴とする画像入出力装置。
【請求項２】
前記特定部で画像入出力ジョブが特定されていない状態において、前記報知装置が前記画像入出力装置から外されてから前記画像入出力装置のスタートキーが操作されない時間が所定値を越えると、前記ユーザに対して前記特定部で画像入出力ジョブが特定されていないことについての警告を発する警告部をさらに備える
ことを特徴とする請求項１に記載の画像入出力装置。
【請求項３】
前記特定部で特定された画像入出力ジョブが前記所定の状態か否かを判定する判定部をさらに備え、
前記画像入出力装置で実行される画像入出力ジョブが、原稿の画像をスキャンする処理及び該スキャンデータを出力する処理を有するジョブの場合において、
前記画像入出力装置のスタートキーが操作されてから所定時間が経過する前に前記報知装置が前記画像入出力装置から外されることによって、又は前記報知装置が前記画像入出力装置から外された後に前記画像入出力装置のスタートキーが操作されることによって、前記特定部で画像入出力ジョブが特定される第１の場合、前記判定部は画像入出力ジョブの終了を前記所定の状態と判定し、
前記画像入出力装置のスタートキーが操作されてから前記所定時間が経過後に前記報知装置が前記画像入出力装置から外されることによって、前記特定部で画像入出力ジョブが特定される第２の場合、前記判定部は画像入出力ジョブに含まれるスキャンの終了を前記所定の状態と判定する
ことを特徴とする請求項１又は２に記載の画像入出力装置。
【請求項４】
前記特定部で特定された画像入出力ジョブが前記所定の状態か否かを判定する判定部をさらに備え、
前記画像入出力装置で実行される画像入出力ジョブが、前記画像入出力装置のキーを操作することにより開始するジョブであって、可搬型記憶媒体からデータを読み出す処理及び読み出したデータを出力する処理を有するジョブの場合において、
前記画像入出力装置のキーが操作されてから所定時間が経過する前に前記報知装置が前記画像入出力装置から外されることによって、又は前記報知装置が前記画像入出力装置から外された後に前記画像入出力装置のキーが操作されることによって、前記特定部で画像入出力ジョブが特定される第１の場合、前記判定部は画像入出力ジョブの終了を前記所定の状態と判定し、
前記画像入出力装置のキーが操作されてから前記所定時間が経過後に前記報知装置が前記画像入出力装置から外されることによって、前記特定部で画像入出力ジョブが特定される第２の場合、前記判定部は画像入出力ジョブに含まれる可搬型記憶媒体からのデータの読み出しの終了を前記所定の状態と判定する
ことを特徴とする請求項１又は２に記載の画像入出力装置。
【請求項５】
前記第２の場合に、前記ユーザの操作によって前記所定の状態を画像入出力ジョブの終了に変更可能な変更部をさらに備える
ことを特徴とする請求項３又は４に記載の画像入出力装置。
【請求項６】
画像の入力及び出力の少なくとも一方のジョブである画像入出力ジョブが所定の状態になると報知する方法であって、
携帯可能な報知装置を着脱自在に装着するための装着部が設けられると共に画像入出力ジョブを実行できる画像入出力装置から前記報知装置をユーザが外したタイミングに基づいて、前記所定の状態になると報知する画像入出力ジョブを特定する特定ステップと、
前記特定ステップで特定された画像入出力ジョブが前記所定の状態になることに基づいて送信された無線信号を、受信することにより作動する前記報知装置によって、前記ユーザに前記所定の状態を報知する報知ステップと、を備える
ことを特徴とする画像入出力ジョブの状態の報知方法。
【発明の詳細な説明】
【技術分野】
【０００１】
本発明は、例えば、コピー、ファクシミリ、スキャナ及びプリンタの機能を有するデジタル複合機のような画像入出力装置及び画像入出力ジョブの状態の報知方法に関する。
【背景技術】
【０００２】
従来から、デジタル複合機と携帯型の送受信装置を組み合わせ、デジタル複合機の状態（例えばコピージョブの終了）を送受信装置に表示する技術が提案されている（例えば特許文献１参照）。この技術によれば、デジタル複合機から離れた場所（例えば自分の机）でコピージョブの終了等を知ることができる。したがって、長時間を要するジョブ（例えば大量のコピー）をデジタル複合機で実行する場合、そのジョブを実行したユーザや次にデジタル複合機を利用する他のユーザは、そのジョブが終了するのをデジタル複合機の設置場所で待つ必要がないので、大変便利である。
【特許文献１】特開平６−２０５４６９号公報
【発明の開示】
【発明が解決しようとする課題】
【０００３】
画像の入力及び出力の少なくとも一方のジョブ（例えば、コピージョブ、プリンタジョブ、スキャナジョブ、ファクシミリジョブ）を、本明細書では「画像入出力ジョブ」と称する。
【０００４】
本発明の目的は、画像入出力ジョブが所定の状態になったことを、携帯電話やパソコン等の他の装置を用いることなく、かつユーザが特別な操作をすることなく、画像入出力装置から離れた場所で知ることができる画像入出力装置及び報知方法を提供することである。
【課題を解決するための手段】
【０００５】
本発明に係る画像入出力装置は、画像の入力及び出力の少なくとも一方のジョブである画像入出力ジョブを実行する画像入出力装置であって、前記画像入出力装置に付属している携帯可能な報知装置と、前記画像入出力装置に前記報知装置を着脱自在に装着するための装着部と、所定の状態になると報知する画像入出力ジョブを、ユーザが前記報知装置を前記画像入出力装置から外したタイミングに基づいて特定する特定部と、を備え、前記報知装置は、前記特定部で特定された画像入出力ジョブが前記所定の状態になることに基づいて送信された無線信号を受信することにより作動して前記ユーザに前記所定の状態を報知する、ことを特徴とする。
【０００６】
本発明に係る画像入出力装置は、前記特定部で画像入出力ジョブが特定されていない状態において、前記報知装置が前記画像入出力装置から外されてから前記画像入出力装置のスタートキーが操作されない時間が所定値を越えると、前記ユーザに対して前記特定部で画像入出力ジョブが特定されていないことについての警告を発する警告部をさらに備える、ようにすることができる。
【０００７】
これによれば、所定の状態になると報知する画像入出力ジョブがまだ特定されていないことをユーザに警告することができる。
【０００８】
本発明に係る画像入出力装置は、前記特定部で特定された画像入出力ジョブが前記所定の状態か否かを判定する判定部をさらに備え、前記画像入出力装置で実行される画像入出力ジョブが、原稿の画像をスキャンする処理及び該スキャンデータを出力する処理を有するジョブの場合において、前記画像入出力装置のスタートキーが操作されてから所定時間が経過する前に前記報知装置が前記画像入出力装置から外されることによって、又は前記報知装置が前記画像入出力装置から外された後に前記画像入出力装置のスタートキーが操作されることによって、前記特定部で画像入出力ジョブが特定される第１の場合、前記判定部は画像入出力ジョブの終了を前記所定の状態と判定し、前記画像入出力装置のスタートキーが操作されてから前記所定時間が経過後に前記報知装置が前記画像入出力装置から外されることによって、前記特定部で画像入出力ジョブが特定される第２の場合、前記判定部は画像入出力ジョブに含まれるスキャンの終了を前記所定の状態と判定する、ようにすることができる。
【０００９】
これによれば、ユーザが報知装置を画像入出力装置から外したタイミングに基づいて、画像入出力ジョブの終了の報知と画像入出力ジョブに含まれるスキャンの終了の報知を自動的に選択することができる。
【００１０】
本発明に係る画像入出力装置は、前記特定部で特定された画像入出力ジョブが前記所定の状態か否かを判定する判定部をさらに備え、前記画像入出力装置で実行される画像入出力ジョブが、前記画像入出力装置のキーを操作することにより開始するジョブであって、可搬型記憶媒体からデータを読み出す処理及び読み出したデータを出力する処理を有するジョブの場合において、前記画像入出力装置のキーが操作されてから所定時間が経過する前に前記報知装置が前記画像入出力装置から外されることによって、又は前記報知装置が前記画像入出力装置から外された後に前記画像入出力装置のキーが操作されることによって、前記特定部で画像入出力ジョブが特定される第１の場合、前記判定部は画像入出力ジョブの終了を前記所定の状態と判定し、前記画像入出力装置のキーが操作されてから前記所定時間が経過後に前記報知装置が前記画像入出力装置から外されることによって、前記特定部で画像入出力ジョブが特定される第２の場合、前記判定部は画像入出力ジョブに含まれる可搬型記憶媒体からのデータの読み出しの終了を前記所定の状態と判定する、ようにすることができる。
【００１１】
これによれば、ユーザが報知装置を画像入出力装置から外したタイミングに基づいて、画像入出力ジョブの終了の報知と、画像入出力ジョブに含まれる可搬型記憶媒体からのデータの読み出しの終了の報知とを自動的に選択することができる。
【００１２】
本発明に係る画像入出力装置は、前記第２の場合に、前記ユーザの操作によって前記所定の状態を画像入出力ジョブの終了に変更可能な変更部をさらに備える、ようにすることができる。
【００１３】
これによれば、報知装置を画像入出力装置から外したタイミングが遅れても、画像入出力ジョブの終了を報知することができる。
【００１４】
本発明に係る画像入出力ジョブの状態の報知方法は、画像の入力及び出力の少なくとも一方のジョブである画像入出力ジョブが所定の状態になると報知する方法であって、携帯可能な報知装置を着脱自在に装着するための装着部が設けられると共に画像入出力ジョブを実行できる画像入出力装置から前記報知装置をユーザが外したタイミングに基づいて、前記所定の状態になると報知する画像入出力ジョブを特定する特定ステップと、前記特定ステップで特定された画像入出力ジョブが前記所定の状態になることに基づいて送信された無線信号を、受信することにより作動する前記報知装置によって、前記ユーザに前記所定の状態を報知する報知ステップと、を備えることを特徴とする。
【発明の効果】
【００１５】
本発明に係る画像入出力装置及び画像入出力ジョブの状態の報知方法によれば、所定の状態になると報知する画像入出力ジョブを、ユーザが報知装置を画像入出力装置から外したタイミングに基づいて特定し、ユーザに報知装置を携帯させ、特定された画像入出力ジョブが所定の状態になると報知装置を利用してユーザに報知する。したがって、ユーザは、画像入出力ジョブが所定の状態になったことを、携帯電話やパソコン等の他の装置を用いることなく、かつ特別な操作をすることなく、画像入出力装置から離れた場所で知ることができる。
【発明を実施するための最良の形態】
【００１６】
本発明の実施形態について図面を用いて説明する。図１は、本実施形態に係る画像入出力装置１のハードウェア構成を示すブロック図である。画像入出力装置１は、デジタル複合機である。画像入出力装置１として、スキャナとプリンタとが分離した形態（例えば、スキャナとプリンタとがＬＡＮ等のネットワークを介して接続された形態）でもよい。
【００１７】
画像入出力装置１は、制御部３、画像読取部５、画像記録部７、表示部９、操作部１１、モデム１３、ＮＣＵ１５、ＲＯＭ１７、ＲＡＭ１９、画像メモリ２１、コーデック２３、ＬＡＮインターフェース２５、スロット２７、送信機２９等が相互にバス３１で接続された構成を有する。制御部３は、例えばＣＰＵにより実現されており、画像入出力装置１を構成する上記ハードウェアを制御すると共に画像入出力装置１の動作に必要なソフトウェアを実行する。
【００１８】
画像読取部５は、ＣＣＤ等によって画像（文字、図、写真等）を読み取って画像データとして出力する。画像記録部７は、電子写真方式等のプリンタであり、画像読取部５から出力された画像データやファクシミリ通信により受信した別のファクシミリ装置からの画像データを画像に戻し、この画像が記録された用紙を出力する。
【００１９】
表示部９は、画像入出力装置１の動作状態、相手先名、各種設定内容等を表示する。表示部９は、ＬＣＤ、ＣＲＴ等で実現される。操作部１１は、画像入出力装置１の操作に必要なキー（テンキー、スタートキー、リセットキー、各種のファンクションキー等）を備える。
【００２０】
モデム１３は、通常のファクシミリ通信用のファクシミリモデムの機能を有する。また、モデム１３は、ＮＣＵ１５と直接に接続されている。ＮＣＵ１５は、公衆電話回線Ｌを閉結及び開放する機能の他に、通信相手の電話番号に応じたダイヤルパルスを送出する機能及び着信を検出する機能を有する。また、ＮＣＵ１５は、モデム１３を必要に応じて公衆電話回線Ｌに接続する。
【００２１】
ＲＯＭ１７は、フラッシュメモリ等により実現されており、画像入出力装置１の動作に必要なソフトウェアを記憶している。ＲＡＭ１９は、ＳＲＡＭ、ＤＲＡＭ等により実現されており、ソフトウェアの実行時に発生するデータを一時的に記憶したり、アプリケーションソフト等を記憶したりする。
【００２２】
画像メモリ２１は、ＤＲＡＭ等で実現されており、送信すべき画像データ、受信した画像データ、画像読取部５から出力された画像データ等を一時的に記憶する。コーデック２３は、画像データを符号化圧縮すると共に符号化圧縮されている画像データを復号する。ＬＡＮインターフェース２５は、画像入出力装置１がＬＡＮと通信可能に接続するインターフェースである。
【００２３】
画像入出力装置１には、携帯可能な報知装置３３が付属している。後で説明するように、報知装置３３は、画像入出力ジョブが所定の状態（例えば、画像入出力ジョブ終了、エラー発生）になったことをユーザに報知する。これにより、ユーザは画像入出力装置１から離れた場所にいても、画像入出力ジョブが所定の状態になったことを知ることができる。よって、画像入出力ジョブに時間がかかる（例えば、コピー処理速度が２８ｃｐｍの画像入出力装置１を用いて、２８頁の原稿を２０部コピーする場合、コピー終了までに約２０分かかる）場合に有効となる。
【００２４】
報知装置３３は、通常、スロット２７に差し込まれた状態にされている（図中の実線で示す状態）。スロット２７は、画像入出力装置１に報知装置３３を着脱自在に装着するための装着部として機能する。報知装置３３の電源は、一次電池でもよいし、蓄電池でもよい。蓄電池の場合、報知装置３３がスロット２７に差し込まれた状態のときに充電される。蓄電池の状態に応じて自動的に充電してもよいし、ユーザの操作により充電してもよい。
【００２５】
送信機２９は無線信号ＲＳを送信し、報知装置３３との無線通信に利用される。ＬＡＮインターフェース２５が無線ＬＡＮ対応の場合、ＬＡＮインターフェース２５に送信機２９の機能を実行させてもよい。また、送信機２９を画像入出力装置１に設けないで、ＬＡＮインターフェース２５を介して接続されている有線ＬＡＮに送信機２９を接続してもよい。
【００２６】
上記のとおり、画像の入力及び出力の少なくとも一方のジョブを、本明細書では「画像入出力ジョブ」と称している。コピージョブでは画像の入力及び出力の両方が実行され、プリンタジョブでは画像の出力が実行され、スキャナジョブでは画像の入力が実行される。ファクシミリジョブについては送信と受信で異なり、ファクシミリで画像データを送信するジョブ（以下、ファクシミリ送信ジョブと称する）では画像の入力が実行され、ファクシミリで画像データを受信するジョブ（以下、ファクシミリ受信ジョブと称する）では画像の出力が実行される。
【００２７】
プリンタジョブやファクシミリ受信ジョブは、画像の入力でなく、画像データの入力が実行される。スキャナジョブやファクシミリ送信ジョブは、画像の出力でなく、画像データの出力が実行される。
【００２８】
画像入出力ジョブは、画像入出力装置１の外部からの命令により開始する。外部からの命令とは、コピージョブ、ファクシミリ送信ジョブ、スキャナジョブの場合、画像入出力装置１の操作部１１に設けられたスタートキーを操作することであり、プリンタジョブの場合、パソコンに表示された印刷ジョブの画面の印刷ボタンをクリックすることであり、ファクシミリ受信ジョブの場合、相手先から送信された画像データを画像入出力装置１が受信することである。
【００２９】
制御部３、ＲＯＭ１７、ＲＡＭ１９及びスロット２７によって、所定の状態になると報知する画像入出力ジョブを、ユーザが報知装置３３を画像入出力装置１から外したタイミングに基づいて特定する特定部が構成される。所定の状態とは、例えば、画像入出力ジョブの終了や画像入出力ジョブのエラーのことである。エラーは、紙詰まりやファクシミリ送信ジョブでの送信エラー等を意味する。送信エラーは、相手先の電話番号の誤りや相手先が話中等の原因で発生する。
【００３０】
本実施形態に係る画像入出力装置１は、ユーザに対して上記特定部で画像入出力ジョブが特定されていないことについての警告を発する警告部や、上記特定部で特定された画像入出力ジョブが所定の状態か否かを判定する判定部を備える。警告部は制御部３、表示部９、ＲＯＭ１７及びＲＡＭ１９により構成される。音声で警告する場合は、表示部９の替わりに画像入出力装置１に備えられるスピーカ（図示せず）が、警告部の構成要素となる。報知装置３３が警告部の機能を備えるようにしてもよい。判定部は制御部３、ＲＯＭ１７及びＲＡＭ１９により構成される。    
【００３１】
本実施形態には、第１の態様と第２の態様がある。
[第１の態様]
第１の態様は、上記特定部で特定された画像入出力ジョブが所定の状態になると、そのユーザが携帯する報知装置３３を作動させて所定の状態になったことを報知する。第１の態様の詳細を図２に示すフローチャートを用いて説明する。
【００３２】
ユーザが図１の報知装置３３を画像入出力装置１から外したか判断される（ステップＳ１）。報知装置３３を画像入出力装置１から外すとは、報知装置３３を装着部として機能するスロット２７から抜くことである（図１中の点線で示す状態）。報知装置３３が画像入出力装置１から外されなと（ステップＳ１でＮｏ）、ステップＳ１の判断が繰り返される。
【００３３】
報知装置３３が画像入出力装置１から外されると（ステップＳ１でＹｅｓ）、画像入出力装置１で画像入出力ジョブが実行中か判断される（ステップＳ３）。画像入出力ジョブが実行中であると（ステップＳ３でＹｅｓ）、そのジョブが、所定の状態になると報知する画像入出力ジョブとして特定される（ステップＳ５）。
【００３４】
画像入出力ジョブが実行中でないと（ステップＳ３でＮｏ）、すなわち、画像入出力装置１が待機中であると、画像入出力装置１のスタートキーが操作されたか判断される（ステップＳ７）。スタートキーは操作部１１に設けられている。スタートキーが操作されると（ステップＳ７でＹｅｓ）、そのスタートキーの操作で開始される画像入出力ジョブが、所定の状態になると報知する画像入出力ジョブとして特定される（ステップＳ５）。なお、ステップＳ５で特定された画像入出力ジョブは、報知装置３３を画像入出力装置１に戻した、つまり、スロット２７に差し込んだ時点で画像入出力ジョブの特定が解除される。これにより、特定された画像入出力ジョブと報知装置３３との対応関係が終了する。
【００３５】
以上のようにして画像入出力ジョブが特定される。つまり、画像入出力ジョブは、次のように、報知装置３３を画像入出力装置１から外したタイミングとジョブ開始のタイミングとの関係に基づいて特定される。
（１）報知装置３３を画像入出力装置１から外したときに画像入出力装置１で実行中の画像入出力ジョブがあれば、そのジョブが上記特定部で特定される画像入出力ジョブに該当する（ステップＳ３でＹｅｓ、ステップＳ５）。
（２）報知装置３３を画像入出力装置１から外したときに画像入出力装置１で実行中の画像入出力ジョブがなければ、つまり、画像入出力装置１が待機中であれば、その後にスタートキーが操作されて最初に実行される画像入出力ジョブが、上記特定部で特定される画像入出力ジョブに該当する（ステップＳ３でＮｏ、ステップＳ７でＹｅｓ、ステップＳ５）。
【００３６】
コピージョブ、スキャナジョブ、ファクシミリ送信ジョブは（１）及び（２）のいずれでも特定されるが、プリンタジョブやファクシミリ受信ジョブは（１）で特定される。
【００３７】
フローチャートの説明に戻る。ステップＳ５で画像入出力ジョブが特定されると、画像入出力ジョブにエラーが発生したか判断される（ステップＳ９）。エラーが発生しないと（ステップＳ９でＮｏ）、画像入出力ジョブが終了したか判断される（ステップＳ１１）。画像入出力ジョブが終了していないと（ステップＳ１１でＮｏ）、ステップＳ９に戻る。
【００３８】
画像入出力ジョブにエラーが発生したり（ステップＳ９でＹｅｓ）、画像入出力ジョブが終了したりすると（ステップＳ１１でＹｅｓ）、図１の送信機２９から無線信号ＲＳが送信される。言い換えれば、上記特定部で特定された画像入出力ジョブが所定の状態になることに基づいて無線信号ＲＳが送信される。ユーザが携帯する報知装置３３で無線信号ＲＳが受信されると、報知装置３３が作動して、画像入出力ジョブが所定の状態になったことをユーザに報知する（ステップＳ１３）。なお、画像入出力ジョブが所定の状態かを、例えば、ポーリングによって報知装置３３から画像入出力装置１に定期的に問い合わせ、その応答として無線信号ＲＳを送信するようにしてもよい。
【００３９】
報知の仕方としては、（１）報知装置３３のスピーカから音を鳴らしたり、報知装置３３を振動させたりしてもよいし、（２）所定の状態になったこと知らせるメッセージを報知装置３３のディスプレイに表示したり、報知装置３３のスピーカから音声で案内してもよい。（２）の場合、例えば、エラーが発生するとエラー発生が通知され、画像入出力ジョブが終了するとその終了が通知されるので、ユーザは所定の状態の内容を報知装置３３から知ることができる。
【００４０】
画像入出力ジョブの終了は、そのジョブが終了してから報知するようにしているが、そのジョブが終了する直前に報知するようにすることもできる。画像入出力装置１は、画像入出力ジョブの終了前にそのジョブの終了を認識できるからである。
【００４１】
一方、スタートキーが操作されないと（ステップＳ７でＮｏ）、報知装置３３が画像入出力装置１から外されてからスタートキーが操作されない時間が所定値（例えば１分）を越えたか判断される（ステップＳ１５）。所定値を越えると（ステップＳ１５でＹｅｓ）、画像入出力装置１の上記警告部は、ユーザに対して上記特定部で画像入出力ジョブが特定されていないことについての警告を発する（ステップＳ１７）。これにより、画像入出力ジョブがまだ特定されていないことをユーザに警告することができる。
【００４２】
警告の仕方としては、（１）画像入出力装置１のスピーカから音を鳴らしたり、（２）警告のメッセージを表示部９に表示したり、画像入出力装置１のスピーカから音声で案内してもよい。（２）の場合、例えば、「画像入出力ジョブが特定されておりません。報知装置３３をスロット２７に差し込んでもう一度やり直して下さい」と案内される。案内としては、「スタートキーを操作して下さい」でもよい。この場合、スタートキーが操作されると、ステップＳ５へ移る。
【００４３】
上記警告はスタートキーの操作が必要な画像入出力ジョブ（コピージョブ、スキャナジョブ、ファクシミリ送信ジョブ）について適用される。しかしながら、スタートキーの操作が必要でない画像入出力ジョブ（プリンタジョブ、ファクシミリ受信ジョブ）についても、これらの画像入出力ジョブが特定されていない時間が所定値を越えると警告を発するようにすることができる。プリンタジョブやファクシミリ受信ジョブの場合、「報知装置３３が画像入出力装置１から外されてから画像入出力装置１のスタートキーが操作されない時間が所定値を越えると」の代わりに、「報知装置３３が画像入出力装置１から外されてからジョブ開始指示がされない時間が所定値を越えると」になる。プリンタジョブでのジョブ開始指示は印刷ボタンのクリックであり、ファクシミリ受信ジョブでのジョブ開始指示は画像入出力装置１でのファクシミリ受信である。
【００４４】
ステップＳ１５で所定値を越えなければ（ステップＳ１５でＮｏ）、報知装置３３がスロット２７に差し込まれたか判断される（ステップＳ１９）。差し込まれていないと（ステップＳ１９でＮｏ）、ステップＳ７へ戻る。これに対して、報知装置３３がスロット２７に差し込まれると（ステップＳ１９でＹｅｓ）、図２のフローチャートで示す処理が終了する。
【００４５】
なお、ステップＳ１３で報知した後、所定時間が経過しても、報知装置３３が画像入出力装置１に戻されない場合（つまり、報知装置３３がスロット２７に差し込まれない場合）、報知装置３３を携帯するユーザに警告を発するようにしてもよいし、ステップＳ５での特定を解除するようにしてもよいし、それら両方をするようにしてもよい。
【００４６】
以上説明したように、本実施形態の第１の態様によれば、報知装置３３を画像入出力装置１から外したタイミング（つまり、報知装置３３をスロット２７から抜いたタイミング）に基づいて、所定の状態になると報知する画像入出力ジョブが特定されるので、画像入出力ジョブは画像入力装置１によって自動的に特定されることになる。そして、特定された画像入出力ジョブが所定の状態になると、ユーザが携帯する報知装置３３を利用してユーザに報知する。したがって、ユーザは、画像入出力ジョブが所定の状態になったことを、携帯電話やパソコン等の他の装置を用いることなく、かつ特別な操作をすることなく、画像入出力装置１から離れた場所で知ることができる。
【００４７】
画像入出力装置１として、例えば、スキャナとプリンタとがＬＡＮ等のネットワークを介して接続された形態の場合、報知装置３３を差し込むスロット２７を両方に設けるようにしてもよいし、いずれかに設けるようにしてもよい。いずれかにスロット２７を設ける場合（例えば、スキャナにスロット２７を設け、プリンタにスロット２７を設けない場合）、スキャナのスロット２７から報知装置３３を外したタイミングに基づいて、スキャナでのスキャナジョブを特定できるし、プリンタでのプリンタジョブを特定することもできる。プリンタジョブを特定できるのは、プリンタはネットワークを介してスキャナと接続されているので、スキャナからプリンタでのプリンタジョブの監視が可能だからである。このように、プリンタジョブを特定できるので、プリンタにスロット２７が設けられていなくても、プリンタジョブが所定の状態になったことを報知装置３３により報知することが可能となる。
【００４８】
複数の画像入出力ジョブが存在すると、画像入出力ジョブは次のようにして特定される。図３は、画像入出力装置１で実行される二つのコピージョブのタイムチャートの一例である。先にコピージョブ１が開始され、コピージョブ１の実行中にコピージョブ２が開始される。ユーザが図１の操作部１１のスタートキーを操作すると、コピージョブが開始する。コピージョブは、画像の入力であるスキャンと画像の出力であるプリントアウトにより構成される。スキャンは図１の画像読取部５で実行され、プリントアウトは図１の画像記録部７で実行される。
【００４９】
Ｄ１は、画像入出力装置１が複数の画像入出力ジョブを有する期間を示している。期間Ｄ１には、コピージョブ２の開始時刻Ｔ１とコピージョブ１の終了時刻Ｔ２は含まれない。Ｄ２は、一つの画像入出力ジョブで発生した待機期間を示している。図３の例では、コピージョブ２のスキャンが終了しても、コピージョブ１のプリントアウトが終了しなければ、コピージョブ２のプリントアウトを開始できないので、コピージョブ２に待機期間Ｄ２が発生している。したがって、コピージョブ２には、実行中の期間(スキャン中、プリントアウト中）と待機中の期間（待機期間Ｄ２）が発生する。このようなコピーは、コピー予約と称される。
【００５０】
期間Ｄ１ではコピージョブ１とコピージョブ２の両方が存在している。本実施形態に係る画像入出力装置１の第１の態様では、先に実行された画像入出力ジョブ（図３ではコピージョブ１）を優先する。したがって、期間Ｄ１で報知装置３３を画像入出力装置１から外すと、コピージョブ１を、所定の状態になると報知する画像入出力ジョブとして特定する。これにより、複数の画像入出力ジョブが存在しても、画像入出力ジョブを特定できるようにしている。
【００５１】
コピージョブ１の開始前に報知装置３３を画像入出力装置１から外したり、コピージョブ１の開始からコピージョブ２の開始までの期間に報知装置３３を画像入出力装置１から外したりすると、その後に、期間Ｄ１が発生する。この場合も同様に先に実行された画像入出力ジョブ（図３ではコピージョブ１）を優先し、所定の状態になると報知する画像入出力ジョブとして特定される。
【００５２】
[第２の態様]
本実施形態の第２の態様について、第１の態様と相違する点を中心に説明する。
【００５３】
コピージョブやファクシミリ送信ジョブは、原稿の画像をスキャンする処理及び該スキャンデータを出力する処理を有する画像入出力ジョブである。このような画像入出力ジョブでは、スキャンが終了すれば、画像読取部５が空くので、画像入出力ジョブが終了していなくても、他のユーザは画像読取部５を利用する次の画像入出力ジョブ（具体的にはコピージョブ、ファクシミリ送信ジョブ、スキャンジョブ）を実行できる。図３では、コピージョブ１のスキャン終了後、コピージョブ２のスキャンを開始している。
【００５４】
したがって、画像入出力ジョブがコピージョブやファクシミリ送信ジョブの場合、画像入出力ジョブの命令をしたユーザ以外の他のユーザは画像入出力ジョブの終了でなくスキャン終了の報知を希望する。第２の態様は、画像入出力ジョブがコピージョブやファクシミリ送信ジョブの場合、この画像入出力ジョブを命令したユーザに対して画像入出力ジョブの終了の報知、他のユーザに対して画像入出力ジョブに含まれるスキャン終了の報知を自動的に実行する。第２の態様を図４に示すフローチャートを用いて説明する。図２に示すフローチャートと同じ処理については、同じ符号のステップとし、説明を省略する。
【００５５】
ステップＳ５で画像入出力ジョブが特定されると、画像入出力装置１のスタートキーが操作されてから所定時間（例えば５秒）が経過し、かつスキャン中か判断される（ステップＳ２１）。所定時間が経過していないと判断されると（ステップＳ２１でＮｏ）、ステップＳ５で特定された画像入出力ジョブを実行する命令をしたユーザが報知装置３３を画像入出力装置１から外したと見なして、画像入出力ジョブの終了を報知することが案内される（ステップＳ２３）。案内には、図１の表示部９や画像入出力装置１のスピーカが利用される。なお、スキャンが終了していると（ステップＳ２１でＮｏ）、スキャンの終了を報知する必要がないので、所定時間の経過を問わず、画像入出力ジョブの終了の報知が選択される。
【００５６】
ステップ７において、スタートキーが操作されたと判断されると、そのスタートキーの操作で開始されるジョブが、所定の状態になると報知する画像入出力ジョブとして特定される（ステップＳ２５）。この場合も、画像入出力ジョブを実行する命令をしたユーザが報知装置３３を画像入出力装置１から外したと見なして、画像入出力ジョブの終了を報知することが案内される（ステップＳ２３）。
【００５７】
以上のように、画像入出力装置１のスタートキーが操作されてから所定時間が経過する前に報知装置３３が画像入出力装置１から外されることによって、特定部で画像入出力ジョブが特定される場合（ステップＳ５、ステップＳ２１でＮｏ）や、報知装置３３が画像入出力装置１から外された後に画像入出力装置１のスタートキーが操作されることによって、特定部で画像入出力ジョブが特定される場合（ステップＳ７でＹｅｓ、ステップＳ２５）、を第１の場合とする。第１の場合では、画像入出力ジョブを実行する命令をしたユーザが報知装置３３を画像入出力装置１から外したと見なし、判定部は画像入出力ジョブの終了を所定の状態と判定する。
【００５８】
上述の通り、特定部は制御部３、ＲＯＭ１７、ＲＡＭ１９及びスロット２７により構成される。判定部は制御部３、ＲＯＭ１７及びＲＡＭ１９により構成される。
【００５９】
一方、ステップＳ２１で所定時間が経過し、かつスキャン中と判断されると（ステップＳ２１でＹｅｓ）、他のユーザが報知装置３３を画像入出力装置１から外したと見なし、スキャンの終了を報知することが案内される（ステップＳ２７）。案内には、図１の表示部９や画像入出力装置１のスピーカが利用される。
【００６０】
このように、画像入出力装置１のスタートキーが操作されてから所定時間が経過後に報知装置３３が画像入出力装置１から外されることによって、特定部で画像入出力ジョブが特定される第２の場合（ステップＳ５、ステップＳ２１でＹｅｓ）、他のユーザが報知装置３３を画像入出力装置１から外したと見なしている。したがって、判定部では画像入出力ジョブに含まれるスキャンの終了を所定の状態と判定する。
【００６１】
第２の場合では、他のユーザが報知装置３３を画像入出力装置１から外すだけで、画像入出力ジョブが特定される。これに対して、第１の場合では、画像入出力ジョブを実行するスタートキーの操作をしたユーザが、スタートキーの操作前又は操作後に報知装置３３を画像入出力装置１から外すことにより、画像入出力ジョブが特定される。
【００６２】
画像入出力装置１のスタートキーを操作したユーザが、報知装置３３を画像入出力装置１から外すタイミングが遅れると、第２の場合（ステップＳ５、ステップＳ２１でＹｅｓ）と判断されてしまう。そこで、ユーザの操作により、所定の状態を画像入出力ジョブの終了に変更することを可能にしている(ステップＳ２９)。変更されると（ステップＳ２９でＹｅｓ）、ステップＳ２３へ進む。これにより、報知装置３３を画像入出力装置１から外したタイミングが遅れても、画像入出力ジョブの終了を報知するようにできる。上記変更をする変更部は、図１の制御部３、表示部９、操作部１１、ＲＯＭ１７及びＲＡＭ１９により構成される。
【００６３】
一方、変更されないと（ステップＳ２９でＮｏ）、ステップＳ３１へ進む。ステップＳ３１でスキャンが終了したと判断されると、ステップＳ１３へ進み、スキャンの終了が報知される。ステップＳ９と同様のエラーの発生を判断するステップを、ステップＳ２９とステップＳ３１の間に設けてもよい。
【００６４】
以上説明したように、本実施形態の第２の態様によれば、画像入出力ジョブがコピージョブやファクシミリ送信ジョブの場合、ユーザが報知装置３３を画像入出力装置１から外したタイミングに基づいて、画像入出力ジョブの終了の報知と画像入出力ジョブに含まれるスキャンの終了の報知を自動的に選択することができる。これにより、画像入出力ジョブの実行を命令したユーザには画像入出力ジョブの終了が報知され、画像入出力装置１を利用しようとする他のユーザにはスキャンの終了が報知される。したがって、ユーザはそれぞれ自己に必要な報知を受けることができる。
【００６５】
第１の態様や第２の態様は、ＵＳＢメモリ等の可搬型記憶媒体にも適用することができる。この可搬型記憶媒体を、画像入出力装置１に設けられた所定の接続部（例えばポート）に差し込み、操作部１１のキー（例えばスタートキー）を操作することにより、可搬型記憶媒体に記憶されているデータを読み出して、このデータを、例えば（１）プリントアウト、（２）公衆電話回線やインターネットを利用してファクシミリ送信、（３）電子メールの添付ファイルとして送信、（４）画像入出力装置１のＲＡＭ１９に格納、することができる。（１）〜（３）が、画像入出力装置１のキーを操作することにより開始するジョブであって、可搬型記憶媒体からデータを読み出す処理及び読み出したデータを出力する処理を有するジョブに該当する。
【００６６】
上記（１）〜（３）を第２の態様に適用すると、第１の場合は画像入出力ジョブの終了を所定の状態と判定され、第２の場合は可搬型記憶媒体からのデータの読み出しの終了を所定の状態と判定される。可搬型記憶媒体からのデータの読み出しの終了が報知されたユーザは、その可搬型記憶媒体を画像入出力装置１の所定の接続部から外して、別の可搬型記憶媒体をその接続部に差し込んで、データの読み出しをすることができる。
【図面の簡単な説明】
【００６７】
【図１】本実施形態に係る画像入出力装置のハードウェア構成の一例を示すブロック図である。
【図２】本実施形態の第１の態様を説明するフローチャートである。
【図３】画像入出力装置で実行される二つのコピージョブのタイムチャートの一例である。
【図４】本実施形態の第２の態様を説明するフローチャートである。
【符号の説明】
【００６８】
１・・・画像入出力装置、３・・・制御部、５・・・画像読取部、７・・・画像記録部、９・・・表示部、１１・・・操作部、１３・・・モデム、１５・・・ＮＣＵ、１７・・・ＲＯＭ、１９・・・ＲＡＭ、２１・・・画像メモリ、２３・・・コーデック、２５・・・ＬＡＮインターフェース、２７・・・スロット、２９・・・送信機、３１・・・バス、３３・・・報知装置、Ｌ・・・公衆電話回線、ＲＳ・・・無線信号、Ｄ１・・・画像入出力装置が複数の画像入出力ジョブを有する期間、Ｄ２・・・一つの画像入出力ジョブで発生した待機期間
【図１】
2008170550.tif 000003
【図２】
2008170550.tif 000004
【図３】
2008170550.tif 000005
【図４】
2008170550.tif 000006